(57)【要約】本発明は、迅速に、トラブルなく手袋の指を裏返す方法を提供する装置である。本発明は、特に、産業・重作業用裏地つきのゴム手袋と、それに限定されないゴム手袋に適用される。本発明は、手袋の裏地の効果的な洗浄とすばやい乾燥を容易にする。本発明は、１つの穴がある１つのｂａｓｅ（ベース）と、そのｂａｓｅ（ベース）の穴にぴったりはめ込み固定される１本のｐｕｓｈｒｏｄ（プッシュロッド）で構成されている。そこで、ｐｕｓｈｒｏｄ（プッシュロッド）の露出した凹形の先端が手袋の指の先端とかみ合い［うことによって］、手袋をｐｕｓｈｒｏｄ（プッシュロッド）にかぶせて脱ぐ間、継続的なかみ合わせを確実にす［してい］る。それによって、手袋の指を完全に裏返す作業が達成され、さらに手に関する健康的で罹病率ゼロの環境づくりを推進する手段を提供する。
2009541600.tif 000002
【特許請求の範囲】
2009541600.tif 000010
2009541600.tif 000011
【発明の詳細な説明】
2009541600.tif 000003
2009541600.tif 000004
2009541600.tif 000005
2009541600.tif 000006
2009541600.tif 000007
2009541600.tif 000008
2009541600.tif 000009
【図１】
2009541600.tif 000012
【図２】
2009541600.tif 000013
【手続補正書】
【提出日】平成17年8月10日(2005.8.10)
【手続補正１】
【補正対象書類名】特許請求の範囲
【補正対象項目名】全文
【補正方法】変更
【補正の内容】
【特許請求の範囲】
【請求項１】
１本のｐｕｓｈｒｏｄ（プッシュロッド）が妨害や中断されることなく手袋の指を裏返すのに足りるだけの長さを備えた装置であって、上記の該ｂａｓｅ（ベース）に該ｐｕｓｈｒｏｄ（プッシュロッド）にぴったりはまり安定させる１つの穴を備えた装置であって、さらに、上記の該ｐｕｓｈｒｏｄ（プッシュロッド）の先端が、手袋の指の先端をかみ合わせ、その継続的なかみ合わせを可能にする手段を提供するように設計された装置。
【請求項２】
特許請求の範囲１７にしたがって、上記の手袋の指の先端をかみ合わせ、その継続的なかみ合わせを可能にする装置であって、該ｐｕｓｈｒｏｄ（プッシュロッド）の上で該手袋の指を脱いで裏返すことが達成される装置であって、該手袋の指を完全に裏返す装置。
【請求項３】
特許請求の範囲１８にしたがって、迅速でトラブルなく上記の手袋の指を裏返す方法を達成する装置であって、イライラと困難を解消し、該手袋の指の裏地の効果的な洗浄とあるいはすばやい乾燥を容易にする装置であって、手に関して健康的で罹病率ゼロの環境づくりを推進する装置。
【請求項４】
特許請求の範囲１７にしたがって、該ｂａｓｅ（ベース）と該ｐｕｓｈｒｏｄ（プッシュロッド）が軽量で小型で持ち運びが可能な装置。
【請求項５】
手に関して健康的で罹病率ゼロの環境づくりを推進する装置であって下記を備えたもの：
【請求項６】
さまざまな手袋とさまざまなサイズの手袋を、妨害や中断されることなく手袋の指を裏返すことができるサイズと設計を備えた１本のｐｕｓｈｒｏｄ（プッシュロッド）；
使用が簡単なサイズの１つのｂａｓｅ（ベース）を備えた装置であって、該ｂａｓｅ（ベース）に、該ｐｕｓｈｒｏｄ（プッシュロッド）を安定させる方法を提供し受け入れるのに十分な長さの穴がある装置であって、該ｐｕｓｈｒｏｄ（プッシュロッド）のサイズが手袋の指１つを支えるのに十分なサイズの装置。
【請求項７】
特許請求の範囲２１にしたがって、上記の該ｂａｓｅ（ベース）の該穴にぴったりはまる該ｐｕｓｈｒｏｄ（プッシュロッド）の反対側の端が、凹形で、該手袋の指の先端とかみ合う手段を提供している装置であって、該ｐｕｓｈｒｏｄ（プッシュロッド）の該先端の該凹形の設計が、該先端と該手袋の指との継続的なかみ合わせを確かにする手段を提供できるだけのサイズがある装置であって、さらに、上記の該ｐｕｓｈｒｏｄ（プッシュロッド）が、該手袋の指を妨害や中断されることなく該ｐｕｓｈｒｏｄ（プッシュロッド）の上で脱ぐ手段を提供するのに十分な長さがある装置であって、該手袋の指を完全に裏返す作業が、手に関する健康的で罹病率ゼロの環境づくりを推進することを容易にする装置。
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
手袋の指を裏返す装置であって下記を備えたもの：１つのｂａｓｅ（ベース）；手袋の指１つを支えるのに十分なサイズの１本のｐｕｓｈｒｏｄ（プッシュロッド）、片手の平にぴったりはまるサイズのｂａｓｅ（ベース）を備えた装置。
【請求項２】
手袋の指を裏返す装置であって下記を備えたもの：１つのｂａｓｅ（ベース）；手袋の指１つを支えるのに十分なサイズの１本のｐｕｓｈｒｏｄ（プッシュロッド），上記のｂａｓｅ（ベース）に１つの穴がある装置。
【請求項３】
手袋の指を裏返す装置であって下記を備えたもの：１つのｂａｓｅ（ベース）；手袋の指１つを支えるのに十分なサイズの１本のｐｕｓｈｒｏｄ（プッシュロッド），上記の該ｐｕｓｈｒｏｄ（プッシュロッド）が手袋の指を裏返す手段を提供する装置。
【請求項４】
特許請求の範囲３にしたがって手袋の指を裏返す装置であって、上記の該ｐｕｓｈｒｏｄ（プッシュロッド）が妨害や中断されることなく手袋の指を裏返すのに足りるだけの長さを備えた装置。
【請求項５】
特許請求の範囲２にしたがって手袋の指を裏返す装置であって、上記の該ｐｕｓｈｒｏｄ（プッシュロッド）が上記のｂａｓｅ（ベース）の穴にはまる装置。
【請求項６】
特許請求の範囲２にしたがって手袋の指を裏返す装置であって、上記の該ｂａｓｅ（ベース）の該穴のサイズが該ｐｕｓｈｒｏｄ（プッシュロッド）を安定させ固定させる手段を提供するのに十分である装置。
【請求項７】
特許請求の範囲３にしたがって手袋の指を裏返す装置であって、上記の該ｐｕｓｈｒｏｄの先端が、反対側の端の該ｂａｓｅ（ベース）の該穴にぴったりはまり、穴が開いている装置。
【請求項８】
特許請求の範囲７にしたがって手袋の指を裏返す装置であって、上記の該ｐｕｓｈｒｏｄ（プッシュロッド）の該先端の穴のサイズが、該手袋の指の先端とかみ合うのに十分な装置。
【請求項９】
特許請求の範囲７にしたがって手袋の指を裏返す装置であって、上記の該ｐｕｓｈｒｏｄ（プッシュロッド）の該先端の該穴の深さが、該手袋の指を裏返す作動の過程で、該手袋の指の該先端の継続的なかみ合わせを確かにするための手段を提供するのに十分である装置；さらに、上記の該ｂａｓｅ（ベース）と該ｐｕｓｈｒｏｄ（プッシュロッド）が簡単に取り外しが可能で、故に持ち運び可能な装置。
【手続補正２】
【補正対象書類名】明細書
【補正対象項目名】全文
【補正方法】変更
【補正の内容】
【発明の詳細な説明】
【背景技術】発明の背景−発明の始まりこの発明は、私が日本の真珠産業と建設産業で働いた個人的な体験から生まれた。私は、自分の体憩時間の大半を、ゴム手袋を洗って乾かすために、手で裏返しにすることに費やした。この作業は、時間がかかるばかりで無意味だったため、やめてしまった。その結果、私の両手に深刻な健康問題が出始めた。赤みや痒み、すりむき傷などができ、それらに伴う不快感によるストレスも大きくなった。私は、自分の手を使わずに手袋を裏返しにできる装置を探して、産業・重作業用裏地つきのゴム手袋を使用する産業の用具をそろえる直販店を、いくつも回ったが、見つからなかった。発明の背景−技術分野本発明は、特に、産業・重作業用裏地つきのゴム手袋と、それに限定されないゴム手袋の、手袋の指を裏返す技術に関連している。本発明は、また、厚い素材の手袋であればなんでも使うことができる。さらに、本発明により、手袋を迅速に裏返し、続けて、裏地を効果的に洗浄しすばやく乾かす作業を、容易にする。汗がしみこんだ裏地つきのゴム手袋を、効果的な洗浄とすばやい乾燥を行うために手で裏返すことは、非常に難しい。また、湿った場所にバクテリアとカビが繁殖すると、不潔なゴム手袋は、痒みやすりむき傷、手の痛みによる不快感から、不適切な衛生と乾燥によって起こる深刻な病気まで、多くの健康被害を併発させる。これら併発症によるストレス、集中力の低下、能率の減少、生産力の低下も起こる。発明の背景−先行技術Ｕ．Ｓ．ｐａｔｅｎｔ  ＃  ６，５６８，５７２  ｔｏ  Ｓｍｉｔｈが、本発明に最も近い先行技術である。それは、本発明と同じ機能をもっているが、３つの構成部分で出来ており、手袋の指を裏返す機能を実行するのに、本発明の倍の作業が必要であり、少なくとも２倍の時間がかかる。さらに、１つの構成部分を追加製造するために、さらなる出費を招くことになる。従って、本発明を製造するほうがコストは安く、手袋の指を裏返す機能を、少ない時間でより効果的に実行することができる。また、本発明は、より軽く小型に出来ている。目的と利益本発明の目的は、迅速でトラブルなく手袋の指を裏返す方法を提供することによって、職場や家庭で、手に関して健康的で罹病率ゼロの環境づくりを推進し、同時に、手袋の内側の迅速な洗浄と乾燥を容易にすることにある。従って、本発明の目的の一つは、簡単に使用できる手袋の指を裏返すための装置を提供することである。本発明のもう一つの目的は、手を使って手袋の指を裏返す際のイライラと困難を解消するような装置を提供することである。本発明のもう一つの目的は、手袋の指を裏返す作業にかかる時間を節約できるような装置を提供することである。本発明のもう一つの目的は、効果的な洗浄とすばやい乾燥を容易にするような、手袋の指を裏返す装置を提供することである。本発明のさらなる目的は、丈夫で製造が簡単な、手袋の指を裏返す装置を提供することである。また、本発明のさらなる目的は、非常に安価に生産できる、手袋の指を裏返す装置を提供することにある。また、本発明のさらなる目的は、さまざまな種類とサイズの手袋に使用可能な、手袋の指を裏返す装置を提供することにある。また、本発明のさらなる目的は、取り外しができ、持ち運び���可能な、手袋の指を裏返す装置を提供することにある。発明の概要本発明と同様、私のｇｌｏｖｅ  ｉｎｖｅｒｔｅｒ（グローブ・インバーター）は、１つのｂａｓｅ（ベース）と１本のｐｕｓｈｒｏｄ（プッシュロッド）によって構成されている。これは、手袋の指を裏返すための装置である。特に、産業・重作業用裏地つきのゴム手袋に適するが、それに限定されない。したがって、迅速に、その効果的な洗浄とすばやい乾燥を容易にする。本発明は、職場や家庭で、手に関して健康的で罹病率ゼロの環境づくりを推進する。図面の簡単な説明本発明は、以下、添付の図面（限定されない例としてのみ提供される）に関連して説明される。説明は次の通り：図１は、本発明の一つの実施例による、手袋の指を裏返す装置の、前面の図である。図２は、図１に示されている手袋の指を裏返す装置の別々の構成部分を、上から僅かな角度でとらえた図である。発明の詳細な説明本発明に関するさらに進んだ特徴と利益については、後述の、好適だがそれに限定されない一つの実施例の詳細な説明の中で明らかになる。本発明は、特に、産業・重作業用裏地つきのゴム手袋と、それに限定されないゴム手袋の、手袋の指を裏返す技術に関連している。本発明はまた、スキー用手袋、革手袋、半ゴム手袋など、厚い素材の手袋であればなんでも使うことができる。本発明は、迅速でトラブルなく手袋の指を裏返すことを可能にし、それによって、手袋の裏地の迅速な洗浄と乾燥を容易にする。本発明は、１本のｐｕｓｈｒｏｄ（プッシュロッド）（３）を受けて安定させるに足るだけの深さがある穴（２）が開いている小さな持ち運び可能なｂａｓａ（ベース）（１）と、先端が凹形になっていて（４）反対側の端がｂａｓｅ（ベース）（１）の穴（２）にぴったり合うようにできた１本のｐｕｓｈｒｏｄ（プッシュロッド）（３）、によって構成されている。Ｂａｓｅ（ベース）（１）は、小さい半楕円形で、片手の平にぴったりはまるようにできている。Ｐｕｓｈｒｏｄ（プッシュロッド）（３）は、円筒形で、１本の直径がｂａｓｅ（ベース）（１）の穴（２）にぴったりはまり、１本の直径が手袋の指を受けるのに十分で、妨害や中断されることなく手袋の指を裏返すのに足りるだけの長さがある。Ｐｕｓｈｒｏｄ（プッシュロッド）（３）の凹形の先端（４）は、手袋の指の先端の継続的なかみ合いを保証するための手袋を提供する。Ｂａｓｅ（ベース）とｐｕｓｈｒｏｄ（プッシュロッド）は、取り外しが簡単なため、装置を持ち運びできる。本発明の組み立てに使用できる素材は、本発明を壊したり機能できなくさせたりすることなく、本発明の機能を実施するのに必要な圧力に耐えられて、本発明の形に合わせるべく鋳型流入、形成、切断、鋳造、製造などが出来るものであれば、折れ曲がらない素材でも折れ曲がる素材でも構わない。作用本発明の作用について、以下に見解を述べる：Ｐｕｓｈｒｏｄ（プッシュロッド）（３）を、ｂａｓｅ（ベース）（１）の穴（２）にぴったりと合わせる。手袋をはずす過程で、できるかぎり裏返しておく。手袋の指の先端を、ｐｕｓｈｒｏｄ（プッシュロッド）（３）の凹形の先端（４）とかみ合わせる。Ｐｕｓｈｒｏｄ（プッシュロッド）（３）にかぶせた手袋をぬぎながら��手袋の指の中の指を使って、完全に手袋の指が裏返しになるまで、ｐｕｓｈｒａｄ（プッシュロッド）（３）の凹形の先端（４）と継続的に接触し続けるようにする。残りの指についても同じ流れを繰り返し、手袋を再び正常な表側に返す。結論、問題、範囲上記のことから、本発明が、手を使って手袋の指を裏返す際の困難とイライラを同時に取り除き、手袋の指を裏返す作業にかかる時間を劇的なまでに減らすことができる、ということは明白である。さらに、本発明は、手を使うよりも圧倒的に簡単で、速く、より効果的に使うことができる。また、手袋の指を完全に裏返す作業が、迅速に達成されることによって、手袋の内側の効果的な洗浄とすばやい乾燥が容易になる。さらに、本発明は、信頼感が高く、重量が軽く、取り外しと持ち運びが可能であるにもかかわらず、経済的な装置であり、使用する人の年齢や場所を問わない。そのうえ、本発明の使用は、健康的で罹病率ゼロの環境を提供し、手の状況を改善するため、職場や家庭での集中力、仕事の能率と効果、生産性に影響するストレスをなくすことにも貢献する。上記の詳細な説明は、明細を含んでいるものの、これら明細を本発明の範囲の限界として解釈してはならない。むしろ、一つの好適な実施例の例証としてとらえるべきである。その他のバリエーションも可能である。たとえば、サイズと形は修正が可能であり、色も多彩な色がある。この装置の組み立てに使用できる素材は、天然、人工、合成など、どんな素材でもよい。さらに、本発明の組み立てに使用できる素材は、本発明を壊したり機能できなくさせたりすることなく、本発明の機能を実施するのに必要な圧力に耐えられて、本発明の形に合わせるべく鋳型流入、形成、切断、鋳造、製造などが出来るものであれば、折れ曲がらない素材でも折れ曲がる素材でも構わない。さらに、この装置は、ｂａｓｅ（ベース）があってもなくても使用することができる。
【手続補正３】
【補正対象書類名】図面
【補正対象項目名】全図
【補正方法】変更
【補正の内容】
【図１】
2009541600.tif 000014
【図２】
2009541600.tif 000015
【図３】
2009541600.tif 000016
【図４】
2009541600.tif 000017
【図５】
2009541600.tif 000018
【手続補正書】
【提出日】平成21年8月20日(2009.8.20)
【手続補正２】
【補正対象書類名】手続補正書
【補正対象項目名】手続補正４
【補正方法】削除
【補正の内容】
【国際調査報告】
2009541600.tif 000019